(57)【要約】【課題】特定の人物に関連した通信履歴などの情報を表示する携帯通信端末を提供する。【解決手段】ユーザが携帯電話機５０の電話帳機能から人Ａの名前を選択すると、ＣＰＵ１は、個人情報データベース１１からＡの電話番号、メールアドレスを取得する。ＣＰＵ１は、Ａのメールアドレスを検索キーとして、メールデータベース１２からＡのメールアドレスを有する送受信メールを検索し取得する。またＣＰＵ１は、Ａの電話番号を検索キーとして、通話データベース１３からＡの電話番号を有する発着信データを検索し取得する。そして、ＣＰＵ１は、Ａの個人情報と、送受信メールの履歴を時系列順に表示部４に表示させる。また、ユーザがファンクションキーを押下すると、ＣＰＵ１はＡの個人情報と、通話データベース１３より取得した通話履歴を時系列順に表示部４に表示させる。【選択図】      図１
2004229214.tif 000002
【特許請求の範囲】
【請求項１】
発着信の情報またはデータ送受信の情報を含む関連情報を格納する記憶手段を有する携帯通信端末であって、
個人データを入力する入力手段と、
前記入力手段によって入力された個人データに基づき、前記記憶手段から前記個人データに関する関連情報を取得する取得手段と、
前記取得手段によって取得した前記関連情報を表示する表示手段と
を有する携帯通信端末。
【請求項２】
前記入力手段により入力した個人データを表示するときに、前記取得手段により取得した前記関連情報を表示する
ことを特徴とする請求項１記載の携帯通信端末。
【請求項３】
前記個人データが、名前と電子メールアドレスと電話番号のいずれかを含むことを特徴とする請求項１記載の携帯通信端末。
【請求項４】
前記関連情報が、前記個人データに含まれる電子メールアドレスに対して送信した電子メールまたは前記個人データに含まれる電子メールアドレスから受信した電子メールである
ことを特徴とする請求項１記載の携帯通信端末。
【請求項５】
前記関連情報が、前記個人データに含まれる電話番号に発信した通信記録または前記個人データに含まれる電話番号から着信した通信記録である
ことを特徴とする請求項１記載の携帯通信端末。
【請求項６】
前記個人データの削除を指示すると、前記個人データに関する関連情報を削除する削除手段
を有する請求項１から５いずれかに記載の携帯通信端末。
【発明の詳細な説明】
【０００１】
【発明の属する技術分野】
本発明は、電話帳や通信履歴等のデータベースを有する携帯通信端末に関する。
【０００２】
【従来の技術】
携帯電話等、データ通信可能な電話機に搭載されているデータベース機能として、主に電話帳機能、通信履歴機能がある。従来、電話帳機能は、あらかじめ電話帳に登録されている情報のみが検索結果として画面に表示される。また、通信履歴機能は、図６に示すように、メールの受信履歴、メールの送信履歴、電話の着信履歴、電話の発信履歴が独立した機能として存在し、別々の操作によって個々に表示される（例えば、特許文献１参照）。
従来の技術では、通信履歴ファイルや電話帳ファイルなど複数のファイルのうち、少なくとも２つのファイルに共通する情報を取り出し、これをリンク情報として格納する追加ファイルを新たに設けるものもある。
【０００３】
【特許文献１】
特開２００１−２６８２０８号公報
【０００４】
【発明が解決しようとする課題】
しかしながら、従来の電話帳や通信履歴の機能間では互換性がないため、特定の人物に関する通話履歴やメール履歴を一括して把握することが非常に困難であった。
また、上記追加ファイルを新たに設ける場合、新たにファイルを作成する煩わしい操作が増加する。更に、この追加ファイルを格納するメモリが必要となり、コストも増加する。
この発明はこのような点を鑑みてなされたもので、特定の人物に関連した通信履歴などの情報を一括して表示することができる携帯通信端末を提供することを目的としている。
【０００５】
【課題を解決するための手段】
上記した目的を達成するために、請求項１記載の携帯通信端末は、発着信の情報またはデータ送受信の情報を含む関連情報を格納する記憶手段を有する携帯通信端末であって、個人データを入力する入力手段と、前記入力手段によって入力された個人データに基づき、前記記憶手段から前記個人データに関する関連情報を取得する取得手段と、前記取得手段によって取得した前記関連情報を表示する表示手段とを有する。
【０００６】
請求項２記載の発明は、請求項１記載の携帯通信端末において、前記入力手段により入力した個人データを表示するときに、前記取得手段により取得した前記関連情報を表示することを特徴とする。
【０００７】
請求項３記載の発明は、請求項１記載の携帯通信端末において、前記個人データが、名前と電子メールアドレスと電話番号のいずれかを含むことを特徴とする。
【０００８】
請求項４記載の発明は、請求項１記載の携帯通信端末において、前記関連情報が、前記個人データに含まれる電子メールアドレスに対して送信した電子メールまたは前記個人データに含まれる電子メールアドレスから受信した電子メールであることを特徴とする。
【０００９】
請求項５記載の発明は、請求項１記載の携帯通信端末において、前記関連情報が、前記個人データに含まれる電話番号に発信した通信記録または前記個人データに含まれる電話番号から着信した通信記録であることを特徴とする。
【００１０】
請求項６記載の発明は、請求項１から５いずれかに記載の携帯通信端末において、前記個人データの削除を指示すると、前記個人データに関する関連情報を削除する削除手段を有する。
【００１１】
【発明の実施の形態】
以下、図面を参照して本発明の実施の形態を説明する。
図１は、本発明の一実施形態に係る携帯電話機５０（携帯通信端末）の概略構成を示すブロック図である。１は携帯電話機５０全体の制御を行うＣＰＵ（取得手段）、２はデータや音声を送受信する無線通信部、３はキー入力を行う操作部（入力手段）、４は情報を表示する表示部（表示手段）、５は音声処理部、６はスピーカ、７はマイク、８はＣＰＵ１の動作プログラムを記憶するＲＯＭ（リードオンリメモリ）、９はデータ一時記憶用のＲＡＭ（ランダムアクセスメモリ）、１１は個人の名前、電話番号やメールアドレスを蓄積する個人情報データベース（電話帳機能）、１２は送受信メールの宛先、日時、内容を蓄積するメールデータベース（記憶手段）、１３は発着信した通話の日時、電話番号を蓄積する通話データベース（記憶手段）である。
メールデータベース１２内には、受信メールを保存する受信メールファイル１２１と、送信メールを保存する送信メールファイル１２２が設けられている。また、通話データベース１３内には、発信元電話番号と日時を保存する着信通話ファイル１３１と、発信先電話番号と日時を保存する発信通話ファイル１３２が設けられている。
【００１２】
次に、特定人物におけるメール送受信の履歴を表示する携帯電話機５０の動作について図２を参照して説明する。
無線通信部２がメールを受信すると（ステップＳａ１）、ＣＰＵ１はその受信したメールの内容、受信日時、メールアドレスをメールデータベース１２内の受信メールファイル１２１に保存する（ステップＳａ３）。同様に、ユーザが操作部３を用いてメール送信を指示する場合も、ＣＰＵ１は無線通信部２を用いてメールを送信し（ステップＳａ５）、その送信したメールの内容、送信日時、アドレスをメールデータベース１２内の送信メールファイル１２２に保存する（ステップＳａ７）。
【００１３】
人Ａにおける送受信メールを検索する場合を例とする。ユーザが操作部３の電話帳呼出キーを押下すると、ＣＰＵ１は個人情報データベース１１に格納している全ての宛先名を取得し表示部４に表示する。ユーザは表示した中からＡの名前を選択する。あるいは、ユーザは操作部３を用いて名前検索の画面にＡの名前を直接入力する（ステップＳａ９）。
ＣＰＵ１は、個人情報データベース１１からＡの個人情報である電話番号、メールアドレスを取得する（ステップＳａ１１）。次にＣＰＵ１は、ステップＳａ１１で取得したＡのメールアドレスを検索キーとして、メールデータベース１２内の受信メールファイル１２１と送信メールファイル１２２から、Ａのメールアドレスを有する送受信メールを検索する（ステップＳａ１３）。送受信メールがあった場合はそれを取得し（ステップＳａ１５）、送受信メールがなかった場合は処理を終了する。次にＣＰＵ１は、ステップＳａ１１で取得したＡの個人情報と、メールデータベース１２より取得した送受信メールの日時、送信受信の区分、メールの件名等、メールの履歴を時系列順に表示部４に表示させる（ステップＳａ１７）。このとき、名前や電話番号、メールアドレスなどの個人情報は画面の上部に、送受信メールは時系列順で画面の下部に表示される。送受信メールが多数で１度に表示できないときは、操作部３のキー操作によってスクロールして閲覧することができる。
【００１４】
ユーザが表示部４に表示されたメールの１つを操作部３で選択すると（ステップＳａ１９で「Ｙｅｓ」）、ＣＰＵ１は選択されたメールの本文を表示部４に表示させる（ステップＳａ２１）。また、ユーザが操作部３で選択したメールの返信や転送を指定すると（ステップＳａ２３で「Ｙｅｓ」）、ＣＰＵ１は返信や転送メールの作成画面を表示部４に表示させる（ステップＳａ２５）。
【００１５】
次に、特定人物における電話の発着信の履歴を表示する携帯電話機５０の動作について図３を参照して説明する。
無線通信部２が電話を着信すると（ステップＳｂ１）、ＣＰＵ１はその着信した電話番号、着信日時を通話データベース１３内の着信通話ファイル１３１に保存する（ステップＳｂ３）。同様に、ユーザが操作部３で電話番号を押下して発信指示すると、ＣＰＵ１は無線通信部２を用いて発信し（ステップＳｂ５）、その発信した電話番号、発信日時を通話データベース１３内の発信通話ファイル１３２に保存する（ステップＳｂ７）。
【００１６】
Ａにおける発着信通話を検索する場合を例とする。ユーザが操作部３の電話帳呼出キーを押下すると、ＣＰＵ１は個人情報データベース１１に格納している全ての宛先名を表示部４に表示する。ユーザは表示した中からＡの名前を選択する。あるいは、ユーザは操作部３を用いて名前検索の画面にＡの名前を直接入力する（ステップＳｂ９）。
ＣＰＵ１は、個人情報データベース１１からＡの個人情報である電話番号、メールアドレスを取得する（ステップＳｂ１１）。次にＣＰＵ１は、ステップＳｂ１１で取得したＡの電話番号を検索キーとして、通話データベース１３内の着信通話ファイル１３１と発信通話ファイル１３２から、Ａの電話番号を有する発着信データを検索する（ステップＳｂ１３）。発着信データがあった場合はそれを取得し（ステップＳｂ１５）、発着信データがなかった場合は処理を終了する。次にＣＰＵ１は、ステップＳｂ１１より取得したＡの個人情報と、通話データベース１３より取得した発着信通話の日時、発信着信の区分等、通話履歴を時系列順に表示部４に表示させる（ステップＳｂ１７）。このとき、名前や電話番号、メールアドレスなどの個人情報は画面の上部に、発着信データは時系列順で画面の下部に表示される。発着信データが多数で１度に表示できないときは、操作部３のキー操作によってスクロールして閲覧することができる。
【００１７】
ユーザが表示部４に表示された電話番号を操作部３で選択すると（ステップＳｂ１９）、ＣＰＵ１は電話発信動作を行う（ステップＳｂ２１）。
図４に履歴検索の結果画面例を示す。上記図２のステップＳａ１７と図３のステップＳｂ１７におけるメール履歴と通話履歴の表示は、ユーザが操作部３のファンクションキーを押下することによって切り換えることができる。
【００１８】
次に、個人情報削除の動作について図５を参照して説明する。
ユーザが操作部３の電話帳呼出キーを押下すると（ステップＳｃ１）、ＣＰＵ１は個人情報データベース１１に格納している全ての宛先名を取得し表示部４に表示する。ユーザが表示した宛先から削除したい人Ｂを操作部３によって選択すると（ステップＳｃ３）、ＣＰＵ１は削除確認のメッセージを表示部４に表示しユーザに判断させる（ステップＳｃ５）。ステップＳｃ５で「Ｙｅｓ」の場合、ＣＰＵ１は個人情報データベース１１からＢの個人情報である電話番号とメールアドレスを取得する（ステップＳｃ７）。次にＣＰＵ１は、ステップＳｃ７で取得したＢのメールアドレスを検索キーとして、メールデータベース１２内の受信メールファイル１２１と送信メールファイル１２２から、Ｂのメールアドレスを有する送受信メールを検索する（ステップＳｃ９）。送受信メールがあった場合はそれを取得し（ステップＳｃ１１）、なかった場合は（ステップＳｃ９で「Ｎｏ」）、ステップＳｃ１３の処理に移る。
発着信データについても同様に、ＣＰＵ１はステップＳｃ７で取得したＢの電話番号を検索キーとして、通話データベース１３内の着信通話ファイル１３１と発信通話ファイル１３２から、Ｂの電話番号と発着信日時を有する発着信データを検索する（ステップＳｃ１３）。発着信データがあった場合はそれを取得し（ステップＳｃ１５）、なかった場合は（ステップＳｃ１３で「Ｎｏ」）、ステップＳｃ１７の処理に移る。
次にＣＰＵ１は、ステップＳｃ７で取得したＢの個人情報を削除し（ステップＳｃ１７）、ステップＳｃ１１、ステップＳｃ１５で取得したＢの送受信メールと発着信データを削除する（ステップＳｃ１９）。
【００１９】
以上説明したように、本実施形態によれば、特定の人物に関するメールの履歴や通話の履歴だけを集めて閲覧することができる。また、名前、メールアドレス、電話番号などの個人情報と、メールの件名、送受信日時、通話時間などの通信履歴を１画面に表示することができ、特定の人物との通信記録が一目瞭然に把握できる。また、メールの履歴や通話の履歴から、返信、転送やリダイアルを行うことができ、操作を少なくすることができる。
また、個人情報を削除すると、メールの履歴や通話の履歴も同時に削除できるので、電話番号の変更等で個人情報を削除したにもかかわらず、通話履歴に番号が残っていたために通話履歴から誤った番号に発信してしまうことを防ぐことができる。
【００２０】
以上、本発明の実施形態について図面を参照して詳述してきたが、具体的な構成はこの実施形態に限られるものではなく、本発明の要旨を逸脱しない範囲の設計変更等も含まれる。
【００２１】
例えば、上記実施形態では、携帯通信端末の電話帳機能から、特定の人物に関するメール履歴あるいは通話履歴を表示する構成としたが、本発明はこれに限定されるものではなく、受信または送信メール一覧から特定のアドレスを指定し、ファンクションキー等で特定の人物におけるメールの履歴を表示する構成としてもよい。通話についても同様に、着信または発信一覧から特定の電話番号を指定し、ファンクションキー等で特定の人物における通話履歴を表示する構成としてもよい。
また、履歴の表示において、個人情報を表示する部分と履歴を表示する部分とを上下に画面分割し、上部と下部それぞれでスクロールが可能なダブルウインドウ画面とする構成としてもよい。また、時系列順に新しいデータから並べられた履歴表示の順番を、古いデータから順に並べる構成としてもよい。
また、メールアドレスや電話番号などの個人情報を修正する際に、通信履歴に登録されている個人情報も自動的に書き換えられ編集する構成としてもよい。
また、上記実施形態における携帯電話機の代わりに、無線通信機能を備えた携帯型パーソナル・コンピュータ又はＰＤＡ（Ｐｅｒｓｏｎａｌ  Ｄｉｇｉｔａｌ  Ａｓｓｉｓｔａｎｃｅ）に本発明を適用してもよい。
【００２２】
【発明の効果】
以上の説明で明らかなように本発明によれば、個人データに基づいて電子メールや通話記録などの関連情報を取得し表示するので、特定の人物との通信記録を１画面に表示することができ、やりとり全体の流れを簡単に把握することができる。
【図面の簡単な説明】
【図１】本発明の一実施形態に係る携帯電話機５０の概略構成を示すブロック図である。
【図２】同第１の実施形態における携帯電話機５０の動作を示すフローチャートである。
【図３】同第２の実施形態における携帯電話機５０の動作を示すフローチャートである。
【図４】同第１および第２の実施形態における履歴検索の結果画面例である。
【図５】同第３の実施形態における携帯電話機５０の動作を示すフローチャートである。
【図６】従来の携帯電話機の電話帳機能と通信履歴機能の画面例である。
【符号の説明】
５０…携帯電話機、１…ＣＰＵ、２…無線通信部、３…操作部、４…表示部、１１…個人情報データベース、１２…メールデータベース、１２１…受信メールファイル、１２２…送信メールファイル、１３…通話データベース、１３１…着信通話ファイル、１３２…発信通話ファイル
【図１】
2004229214.tif 000003
【図２】
2004229214.tif 000004
【図３】
2004229214.tif 000005
【図４】
2004229214.tif 000006
【図５】
2004229214.tif 000007
【図６】
2004229214.tif 000008